(57)【特許請求の範囲】
【請求項１】
移動端末との間で無線による通信を行うとともに、システム内においてパケットによる通信を行う移動通信システムにおいて、
他ネットワークとの境界のノードを頂点としてツリー状に接続された複数のノードを備え、
前記境界のノードは、前記他ネットワークから受信したパケットを前記複数のノードにブロードキャストにより送信し、
前記複数のノードのうち末端側のノードは、それぞれ前記移動端末の管理情報を保有し、受信したパケットを前記管理情報に基づき自ノードが管理する移動端末宛に送信する、
ことを特徴とする移動通信システム。
【請求項２】
請求項１において、
前記複数のノードは、自ネットワーク内のノードから引き上げたユーザデータ及び、他ネットワークから受信したユーザデータであって自ネットワーク宛のユーザデータを前記末端側ノードにブロードキャストで転送し、前記末端側ノードは、前記管理情報に基づいて管理対象の配下の移動端末に前記ユーザデータを送信することを特徴とする移動通信システム。
【請求項３】
請求項１において、
前記移動端末から末端側のノードに対する接続要求信号に共通トラフィックチャネルの使用を要求するパラメータを含ませ、前記末端側のノードで前記パラメータを使用して、前記移動端末と末端側のノード間の共通チャネル上でユーザデータ転送用伝送経路を確保することを特徴とする移動通信システム。
【請求項４】
請求項３において、
前記接続要求信号に更に前記移動端末に付与されているＩＰアドレスを含ませ、前記末端側のノードで前記ＩＰアドレスと移動端末を識別する番号を対応させる管理テーブルを作成し、前記管理テーブルに基づきＩＰアドレスベースで、前記移動端末の管理を行うことを特徴とする移動通信システム。
【請求項５】
請求項１において、
前記末端側のノードに、少なくとも端末の位置管理を行う機能、通信経路管理を行う機能及び、移動端末と前記末端側のノード間のパケット通信を確立するために必要な環境設定情報を持たせ、前記移動端末からの前記環境設定情報を生成させるためのメッセージを前記末端側のノードで終端することを特徴とする移動通信システム。
【請求項６】
請求項１において、
前記末端側のノードは、無線基地局又は無線基地局制御装置であることを特徴とする移動通信システム。
【請求項７】
前記末端側のノードと前記移動端末間で、
信号用伝送経路を確立して、前記末端側ノードに前記移動端末の位置登録を行う第１の処理工程と、
移動通信環境の設定を行う第２の処理工程と、
ユーザデータ転送用伝送経路を確立する第３の処理工程を
有することを特徴とする請求項１の移動通信システムにおけるパケット伝送方法。
【請求項８】
移動端末宛又は移動端末からの情報を、階層的に配列されたノード間でパケット通信により伝送する移動通信システムにおいて、
前記階層の上位側ノードは、下位側ノードに対してユーザデータを含むパケットをブロードキャストにより送信する手段を備え、
前記階層の下位側ノードは、自ノードに対応する所定の上位側ノードに対して、前記移動端末からの情報に基づいてユーザデータを含むパケットの送信を行う手段を備えたことを特徴とする移動通信システム。
【請求項９】
移動端末宛又は、移動端末からの情報を、階層的に配列されたノード間でパケット通信により伝送する移動通信システムに含まれるノードにおいて、
該ノードは、前記階層の下位側ノードに対してユーザデータを含むパケットをブロードキャストにより送信する送信手段と、
所定の下位側ノードから送信されたユーザデータを含むパケットを受信する受信手段を
有することを特徴とするノード。
【請求項１０】
請求項９において、
前記送信手段は、他システム宛でないパケットに対して前記ブロードキャストを行い、
前記受信手段は、受信したパケットが他システム宛であれば、当該他システムに対して送信し、又は前記階層の対応する更に上位のノードに送信する
ことを特徴とするノード。
【請求項１１】
移動端末宛又は、移動端末からの情報を、階層的に配列されたノード間でパケット通信により伝送する移動通信システムに含まれるノードにおいて、
該ノードは、所定の上位側ノードに対して、前記移動端末からの情報に基づくユーザデータを含むパケットの送信を行う手段と、
前記移動端末の位置情報を管理する手段と、
前記階層の上位ノードからブロードキャストにより送信されたユーザデータを含むパケットを受信し、該パケットが前記位置情報を管理する手段により位置情報を管理している移動端末宛のパケットであれば、前記移動端末又は更に下位のノードに前記パケットを送信する手段を
有することを特徴とするノード。
【発明の詳細な説明】
発明の背景
発明の属する技術分野
本発明は、移動通信システムに関する。特に、本発明はＩＰ（インターネットプロトコル）をサポートする移動通信ネットワークに於いて、ユーザデータ（Ｕｓｅｒ  ｄａｔａ）のパケットを端末間（Ｅｎｄ  ｔｏ  Ｅｎｄ）で送受信する移動通信システムに関する。
従来の技術
現在の通信ネットワークの中で移動体通信ネットワークの発展はめざましいものがある。さらに、固定端末を『移動度ゼロの（移動していない）移動端末（ＭＳ）』としてとらえ、既存の固定ネットワークと移動体通信ネットワークを統合した通信ネットワーク（以下、統合通信ネットワークという）を構築する構想も浮かび上がっている。
さらに、統合通信ネットワークで使用される全ての端末及びネットワークを構築する全ノード（Ｎｏｄｅ）にＩＰインフラ（ＩＰアドレスの付与及びＩＰ転送機能（Ｔｒａｎｓｐｏｒｔ）のサポート等）を導入する事で、データ転送及び音声通信の他、様々なサービスが１つのネットワークで実現できると考えられている。
ここで、移動端末ＭＳが自身の存在をネットワーク側に通知する際には先ず無線リソースを確保する。その後、ＩＰアドレスとは異なる移動端末ＭＳ特有の識別番号（Ｉｎｉｔｉａｌ  ＵＥ  Ｉｄｅｎｔｉｔｙ）を、特定の信号に含めて、端末から一番近いアクセスネットワーク無線基地局を経由して送信する。
図２２は、既存の移動通信システムによるパケットの通信システムを示す図である。
図２２に示すシステムにおいて、上記した特定の信号とは、端末ＭＳがＳＧＳＮ（Ｓｅｒｖｉｎｇ  ＧＰＲＳ  Ｓｕｐｐｏｒｔ  Ｎｏｄｅ：コアネットワーク［Ｃｏｒｅ  Ｎｅｔｗｏｒｋ：中心側の網］において、ＲＡＮ［Ｒａｄｉｏ  Ａｃｃｅｓｓ  Ｎｅｔｗｏｒｋ：端末が通信の際にアクセスする端末側の網］側とのパケット通信をサポートする装置）に対して送信する信号（Ａｔｔａｃｈ  Ｒｅｑｕｅｓｔという）又は、移動により位置を変更した端末がＳＧＳＮに対して新しい位置登録を要求するために送る信号（Ｌｏｃａｔｉｏｎ  Ａｒｅａ  Ｕｐｄａｔｅ  Ｒｅｑｕｅｓｔという）である（ステップＳ１）。
ついで、この移動端末ＭＳ特有の識別番号は、ネットワーク内の移動端末の管理を専門に行うノード（例えば、ＨＬＲ：Ｈｏｍｅ  Ｌｏｃａｔｉｏｎ  Ｒｅｇｉｓｔｅｒ又はＶＬＲ：Ｖｉｓｉｔｉｎｇ  Ｌｏｃａｔｉｏｎ  Ｒｅｇｉｓｔｅｒ等の移動端末の位置登録を行うレジスタ）に移動端末の番号に対応させ位置情報を登録される（ステップＳ２）。
次に、パケット通信を行う為に端末がＳＧＳＮに対して送信する信号（Ａｃｔｉｖｅ  ＰＤＰ  Ｃｏｎｔｅｘｔという）をＳＧＳＮへ送る事をトリガーとして、パケットに関して、移動通信ネットワークと外部ネットワーク、例えばインターネットとの境界にある装置（ＧＧＳＮ：Ｇａｔｅｗａｙ  ＧＰＲＳ  Ｓｕｐｐｏｒｔ  Ｎｏｄｅという）とＳＧＳＮ間に、ＧＴＰトンネル（ある通信用のパケットを通す為のＧＧＳＮ−ＳＧＳＮ間の仮想的専用経路）を確立する（ステップＳ３）。
ここで、トンネルとは、コアネットワーク側でユーザデータ（パケット）の持つＩＰアドレス情報による転送を行わず、それをカプセル化して（その通信に対する一意の番号を付与して）転送する技術をトンネリングと呼び、この技術による転送区間をトンネルと呼ぶ。これにより端末が自身のＩＰアドレスを保持したまま移動しても網内でトンネルの変更をするだけで通信相手は相手端末の移動を意識せずに従来のＩＰアドレスを使用して通信が継続出来る。
ＧＰＲＳシステムではこれを実現するためにＧＴＰ（ＧＰＲＳ  Ｔｕｎｎｅｌｉｎｇ  Ｐｒｏｔｏｃｏｌ）を使用している。ＧＴＰでは、ＩＰパケットのＧＴＰヘッダを付けた形態で（カプセル化して）トンネル内の転送を行っている。
上記のＧＴＰトンネルを確立した上で、パケットデータを本トンネル経由で端末ＭＳまで届ける（ステップＳ４）。この時、パケットのＩＰヘッダは意識されずに、音声データと同様に確立された経路により端末ＭＳに送られる。
端末ＭＳは受信したパケットのＩＰヘッダを見て、端末ＭＳのアプリケーションによりパケットの中身を処理する（ステップＳ５）。
ここで、端末ＭＳが固定のＩＰアドレスを持って移動した場合、網内のＨＡ［Ｈｏｍｅ  ａｇｅｎｔ］とＦＡ［Ｆｏｒｅｉｇｎ  ａｇｅｎｔ］によってパケットのカプセル化を使って移動先にパケットを伝える技術（Ｍｏｂｉｌｅ  ＩＰという）を使用するシステムがある。かかるシステムにおいては、通信中の端末ＭＳが移動した場合、通信を維持する為にＧＴＰトンネルを張り替えるのに相当する処理が行われていた。
すなわち、特定の端末ＭＳに対して専用のルーティング制御がネットワーク内で行われている。位置登録情報管理はネットワーク内の特定ノード（例えば、ＨＬＲ／ＶＬＲ）で行われている為に、端末ＭＳが移動し、そのアクセスノードである無線基地局制御装置（ＲＮＣ：Ｒａｄｉｏ  Ｎｅｔｗｏｒｋ  Ｃｏｎｔｒｏｌｌｅｒ）等が変わる都度、その事実を前記の特定アクセスノードへ通知する情報がネットワーク内で発生している。
ＲＡＮ側では端末ＭＳとアクセスノード間でユーザデータ転送用伝送経路として共通チャネルを使用する事も可能であるが、大容量の転送を必要とする端末間では個別チャネルを使用せざるを得ない現状である。個別チャネルをユーザデータ転送用伝送経路として使用する場合、共通チャネルを使う場合に比べて付加的な信号処理が関連ノード間で必要である。
また端末ＭＳの移動を契機としてトンネルの張り替え処理が行われる為に、高速で頻繁に移動する移動端末ＭＳ宛のデータ送信はそれに見合う高速張り替え処理が必要である。
上記の環境からコアネットワーク（Ｃｏｒｅ  Ｎｅｔｗｏｒｋ：中心側の網）側の問題点は移動端末ＭＳが移動を行い、移動先登録動作を行う度にその位置情報登録用の信号トラフィックがネットワーク内で送受信される為、ネットワークに負荷をかけている事である。
ＲＡＮ側の問題点は多くの場合ユーザトラフィック転送用に個別チャネルを使用している為、バースト的なユーザトラフィック特性を持つ複数の移動端末ＭＳが存在する環境での効率的リソース確保が難しい。さらに、ユーザデータ転送前に個別ユーザデータ転送用伝送経路の確保処理が行われる為に、対応する処理が必要となりユーザデータ転送前の遅延が発生する事である。
さらに、コアネットワーク側及びＲＡＮ側共通の問題点は、移動端末ＭＳの移動に伴う位置変更情報がルーティング制御を実施するネットワーク内の全ノードに伝搬するまでは移動先でのデータ送受信ができない事である。
発明の概要
したがって、本発明の目的は、上記のコアネットワーク側での問題点、ＲＡＮ側の問題点並びに、コアネットワーク側及びＲＡＮ側に共通の問題点を解決する移動通信システムを提供することにある。
上記の本発明の目的を達成する移動通信システムにおける本発明の概念の特徴は、移動端末ＭＳのＩＰアドレス管理をアクセスネットワーク末端側のノード（例えば、無線基地局制御装置：ＲＮＣ、無線基地局：ノード）でのみ管理し、コアネットワーク側では十分な伝送能力を持っているものとして移動端末ＭＳ行きのユーザデータをコアネットワーク内でブロードキャストすることである。
さらに、本発明の上記発明概念に基づく移動通信システムの構成は、第１の態様として、移動端末との間で無線による通信を行うとともに、システム内においてパケットによる通信を行う移動通信システムにおいて、他ネットワークとの境界のノードを頂点としてツリー状に接続された複数のノードを備え、前記移動端末の管理情報を前記複数のノードのうち末端側のノードにおいて保有することを特徴とする。
さらに、本発明の上記発明概念に基づく移動通信システムの構成は、第２の態様として、前記第１の態様において、前記複数のノードは、自ネットワーク内のノードから引き上げたユーザデータ及び、他ネットワークから受信したユーザデータであって自ネットワーク宛のユーザデータを前記末端側ノードにブロードキャストで転送し、前記末端側ノードは、前記管理情報に基づいて管理対象の配下の移動端末に前記ユーザデータを送信することを特徴とする。
また、本発明の上記発明概念に基づく移動通信システムの構成は、第３の態様として、前記第１の態様において、前記移動端末から末端側のノードに対する接続要求信号に共通トラフィックチャネルの使用を要求するパラメータを含ませ、前記末端側のノードで前記パラメータを使用して、前記移動端末と末端側のノード間の共通チャネル上でユーザデータ転送用伝送経路を確保することを特徴とする。
さらにまた、本発明の上記発明概念に基づく移動通信システムの構成は、第４の態様として、前記第３の態様において、前記接続要求信号に更に前記移動端末に付与されているＩＰアドレスを含ませ、前記末端側のノードで前記ＩＰアドレスと移動端末を識別する番号を対応させる管理テーブルを作成し、前記管理テーブルに基づきＩＰアドレスベースで、前記移動端末の管理を行うことを特徴とする。
さらに、本発明の上記発明概念に基づく移動通信システムの構成は、第５の態様として、前記第１の態様において、前記末端側のノードに、少なくとも端末の位置管理を行う機能、通信経路管理を行う機能及び、移動端末と前記末端側のノード間のパケット通信を確立するために必要な環境設定情報を持たせ、前記移動端末からの前記環境設定情報を生成させるためのメッセージを前記末端側のノードで終端することを特徴とする。
さらに、本発明の上記発明概念に基づく移動通信システムの構成は、第６の態様として、前記第１の態様において、前記末端側のノードは、無線基地局又は無線基地局制御装置であることを特徴とする。
さらに、本発明の上記発明概念に基づく移動通信システムにおける処理工程は、前記第１のシステムの態様において、前記末端側のノードと前記移動端末間で、信号用伝送経路を確立して、前記末端側ノードに前記移動端末の位置登録を行う第１の処理工程と、移動通信環境の設定を行う第２の処理工程と、
ユーザデータ転送用伝送経路を確立する第３の処理工程を有することを特徴とする。
また、本発明の上記発明概念に基づく移動通信システムの他の態様として、移動端末宛又は移動端末からの情報を、階層的に配列されたノード間でパケット通信により伝送する移動通信システムにおいて、前記階層の上位側ノードは、下位側ノードに対してパケットをブロードキャストにより送信する手段を備え、前記階層の下位側ノードは、自ノードに対応する所定の上位側ノードに対して、前記移動端末からの情報に基づくパケットの送信を行う手段を備えたことを特徴とする。
さらに、本発明の上記発明概念に基づき、移動端末宛又は、移動端末からの情報を、階層的に配列されたノード間でパケット通信により伝送する移動通信システムに含まれるノードは、前記階層の下位側ノードに対してパケットをブロードキャストにより送信する送信手段と、所定の下位側ノードから送信されたパケットを受信する受信手段を有することを特徴とする。
また、本発明の上記発明概念に基づき、移動端末宛又は、移動端末からの情報を、階層的に配列されたノード間でパケット通信により伝送する移動通信システムに含まれるノードは、前記態様において、前記送信手段は、他システム宛でないパケットに対して前記ブロードキャストを行い、前記受信手段は、受信したパケットが他システム宛であれば、当該他システムに対して送信し、又は前記階層の対応する更に上位のノードに送信することを特徴とする。
さらにまた、本発明の上記発明概念に基づき、移動端末宛又は、移動端末からの情報を、階層的に配列されたノード間でパケット通信により伝送する移動通信システムに含まれるノードは、所定の上位側ノードに対して、前記移動端末からの情報に基づくパケットの送信を行う手段と、前記移動端末の位置情報を管理する手段と、前記階層の上位ノードからブロードキャストにより送信されたパケットを受信し、前記パケットが前記位置情報を管理する手段により位置情報を管理している移動端末宛のパケットであれば、前記移動端末又は更に下位のノードに前記パケットを送信する手段を有することを特徴とする。
本発明の特徴は、以下に図面を参照して説明される発明の実施の形態から更に明らかになる。
発明の実施の形態
図１は本発明の実施例としてのネットワーク構成例を示している。なお、以下の実施例説明において、端末ＭＳが移動端末であると想定して移動端末ＭＳと表すが、本発明の適用において端末ＭＳは、固定の端末であってもよい。
本実施例において、ＩＰネットワークで構成された移動ネットワーク１の無線基地局制御装置ＲＮＣ１の配下に有る移動端末ＭＳ１から固定のパケットネットワーク３を経由して、ＩＰネットワークで構成された別の移動ネットワーク２の無線基地局制御装置ＲＮＣ２の配下にある移動端末ＭＳ２にユーザデータを送信する手順について以下に説明する。
なお、本発明の対象となる移動ネットワーク１，２とは移動端末ＭＳから他ネットワーク等（図１の例では固定通信ネットワーク３）との境界ノード（ＧＧＳＮ）までの範囲内に於いてユーザデータを転送する階層化された複数のノードにより構成されるネットワークを指す。
さらに、移動ネットワークを構成する階層化されたノード間の接続方法は、実施例として、あるノードから他のノードまでの転送ルートが複数存在する様な構造（図１のＩ参照）はとらないものとする。すなわち、ノード間の一実施例としての接続方法は、図１のＩＩに示す階層化されたツリー構造であり、また、移動ネットワークは実施例としてギガビットイーサネットを使うネットワークを想定している。
さらに、移動端末ＭＳは後述する信号シーケンスを許容する機能（移動網内を転送されるＩＰパケットを処理する機能）を備えているものとする。
また、図１に示す実施例では既存の信号や各種ＣＨを利用するが、特に『新規』と明記しない限り、全て３ＧＰＰ（３ｒｄ  Ｇｅｎｅｒａｔｉｏｎ  Ｐａｒｔｎｅｒｓｈｉｐ  Ｐｒｏｊｅｃｔ）仕様書のＴＳ２５．３０１（Ｒａｄｉｏ  Ｉｎｔｅｒｆａｃｅ  Ｐｒｏｔｏｃｏｌ  Ａｒｃｈｉｔｅｃｔｕｒｅ）及びＴＳ２５．３３１（ＲＲＣ  Ｐｒｏｔｏｃｏｌ  Ｓｐｅｃｉｆｉｃａｔｉｏｎ）で規定されたものを利用するものとする。なお、本実施例は各移動端末ＭＳに固定のＩＰアドレスが割り当てられている（即ち、所在する位置によらない）ことを前提とする。
図２〜図４は、図１における無線基地局制御装置ＲＮＣ、ＳＧＳＮ及ＧＧＳＮの機能ブロック図であり、太線で示される機能部が図２２に示す既存システムの対応する装置に対し、本発明の適用により新たに追加された機能部である。
図２に示す無線基地局制御装置ＲＮＣに機能ブロック図において、データバッファ２１を有し、データバッファ２１へのユーザデータであるパケットの格納及び、他の機能部への読み出しが制御部２２により制御される。
制御部２２に読み出されるパケットに対し、機能部２３によりパケット転送及び廃棄が制御される。さらに本発明の特徴として図２２の既存システムにおいて、ＨＬＲに登録され移動端末ＭＳの情報がＭＳ管理テーブル２４に登録されるように変更されている。
図２に示す他の機能部である共通トラフィックＣＨ使用要求機能部２５，Ｍｏｂｉｌｉｔｙ／Ｓｅｓｓｉｏｎ管理機能部２６及びページング機能部２７とともに、前記の機能部２３及びＭＳ管理テーブル２４の機能に付いて、以下の処理手順の説明においてに適宜説明する。
図３は、ＳＧＳＮの機能ブロックの一例を示す図である。また、図４は、ＧＧＳＮの機能ブロックの一例を示す図である。それぞれ無線基地局制御装置ＲＮＣと同様にデータバッファ３１，４１及び制御部３２，４２を有し、本発明の特徴として、図３のＳＧＳＮは、パケット転送機能部３３が、図４のパケット転送機能部４３と他網ノード・テーブル４４が追加されている。
これらの機能部は、プログラムにより実現することが好ましいが、専用のハードウェア機能部として構成することも可能である。以下にこれらの機能部についても、以下の処理手順の説明の関連する部分で適宜に説明する。
図５は、移動端末ＭＳと無線基地局制御装置ＲＮＣ間のリソース確保の為の概略の手順を示すシーケンス図である。
大きな流れとして、信号用伝送経路の確立の位置登録処理（処理工程Ｐ１）、移動通信環境設定（処理工程Ｐ２）及び、ユーザデータ伝送経路確立（処理工程Ｐ３）を有する。
以下に図５の処理手順を詳細に図６〜図１３に基づき説明する。
図６は、信号用伝送経路の確立及び位置登録処理（処理工程Ｐ１）におけるＲＲＣ接続要求（ＲＲＣ  Ｃｏｎｎｅｃｔｉｏｎ  Ｒｅｑｕｅｓｔという）（処理工程Ｐ１−１）を説明する図であり、ＲＲＣ接続要求信号の経路及び本信号経路上の新規パラメータについて示す図である。
ある移動端末ＭＳが電源をオンにする。ここで移動端末ＭＳと無線基地局制御装置ＲＮＣ間の信号用無線リソースを確保する為に、移動端末ＭＳはノードＢ経由で無線基地局制御装置ＲＮＣに対して、ＲＲＣ接続要求（ＲＲＣ  Ｃｏｎｎｅｃｔｉｏｎ  Ｒｅｑｕｅｓｔ）信号を使用する。
すなわち、移動端末ＭＳは、前記ＲＲＣ接続要求（ＲＲＣ  Ｃｏｎｎｅｃｔｉｏｎ  Ｒｅｑｕｅｓｔ）信号を無線基地局制御装置ＲＮＣの立ち上げ時に確立されている共通上り方向トランスポートＣＨであるランダムアクセスチャネル（ＲＡＣＨ：Ｒａｎｄｏｍ  Ａｃｃｅｓｓ  Ｃｈａｎｎｅｌ）を使用して、論理チャネルである共通制御チャネル（ＣＣＣＨ：Ｃｏｍｍｏｎ  Ｃｏｎｔｒｏｌ  Ｃｈａｎｎｅｌ）のフォーマットで送信する。
移動端末ＭＳとノードＢ間の物理チャネルＣＨは、従来通り物理チャネル（ＰＲＡＣＨ：Ｐｈｙｓｉｃａｌ  Ｒａｎｄｏｍ  Ａｃｃｅｓｓ  Ｃｈａｎｎｅｌ）を使用する。なお、この物理チャネル（ＰＲＡＣＨ）の転送能力はシステムで固定的に周波数・拡散コードにより予め決められている。
本発明ではＲＲＣ接続要求（ＲＲＣ  Ｃｏｎｎｅｃｔｉｏｎ  Ｒｅｑｕｅｓｔ）信号に、『共通トラフィック（Ｔｒａｆｆｉｃ）ＣＨ使用』を示すパラメータを新規に追加する。これに対応して無線基地局制御装置ＲＮＣでは前記の『共通ＴｒａｆｆｉｃＣＨ使用』を示すパラメータを、共通トラフィック使用要求機能部２５において認識する。
図７は移動端末ＭＳの管理の為に無線基地局制御装置ＲＮＣで作成されるＭＳ管理テーブル２４を説明する図である。本発明においては。ＲＲＣ接続要求（ＲＲＣ  Ｃｏｎｎｅｃｔｉｏｎ  Ｒｅｑｕｅｓｔ）信号に移動端末ＭＳ固有の識別子として従来の（Ｉｎｉｔｉａｌ  ＵＥ  Ｉｄｅｎｔｉｔｙ：図７では”ＵＥ  ＩＤ”と表示）に加えて、新規情報として『移動端末ＭＳのＩＰアドレス』を追加して送る。
したがって、無線基地局制御装置ＲＮＣでは、受信した移動端末ＭＳについて、（Ｉｎｉｔｉａｌ  ＵＥ  Ｉｄｅｎｔｉｔｙ）とＩＰアドレスの対応表及び移動端末ＭＳの管理テーブル２４（以降『ＭＳ管理テーブル』と呼ぶ）を作成し、登録する。例えば、０００５：ＩＰ＝ａと登録することにより、登録された移動端末ＭＳのＩｎｉｔｉａｌ  ＵＥ  Ｉｄｅｎｔｉｔｙが０００５であって、ＩＰアドレスがａであることを示す。好ましくはこれらに対応させてＲＲＣ接続要求信号を受理したノードＢの識別情報も管理テーブルに記憶する。
図８は図５における処理工程Ｐ１−２である、ＲＲＣ接続要求（ＲＲＣ  Ｃｏｎｎｅｃｔｉｏｎ  Ｒｅｑｕｅｓｔ）信号に応答するＲＲＣ接続設定（ＲＲＣ  Ｃｏｎｎｅｃｔｉｏｎ  Ｓｅｔｕｐ）信号の信号経路を示している。
無線基地局制御装置ＲＮＣは従来通り予め確立されている共通下り方向トランスポートＣＨであるＦＡＣＨ（Ｆｏｒｗａｒｄ  Ａｃｃｅｓｓ  Ｃｈａｎｎｅｌ）を使用してＲＲＣ接続（ＲＲＣ  Ｃｏｎｎｅｃｔｉｏｎ  Ｓｅｔｕｐ）信号をノードＢ経由で移動端末ＭＳへ送る。
移動端末ＭＳとノードＢ間の物理ＣＨも従来通り既に確立されている共通下り方向物理ＣＨであるＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を使用する。
図９は図５における処理工程Ｐ１−３のＲＲＣ接続設定完了（ＲＲＣ  Ｃｏｎｎｅｃｔｉｏｎ  Ｓｅｔｕｐ  Ｃｏｍｐｌｅｔｅ）通知のための信号経路を示している。移動端末ＭＳと無線基地局制御装置ＲＮＣ間を『共通Ｔｒａｆｆｉｃ  ＣＨ使用』としている。
その為、無線基地局制御装置ＲＮＣからＲＲＣ接続設定（ＲＲＣ  Ｃｏｎｎｅｃｔｉｏｎ  Ｓｅｔｕｐ）信号を受けた移動端末ＭＳはノードＢ経由で共通制御チャネル（ＣＣＣＨ：Ｃｏｍｍｏｎ  Ｃｏｎｔｒｏｌ  Ｃｈａｎｎｅｌ）を利用して無線基地局制御装置ＲＮＣへＲＲＣ接続設定完了（ＲＲＣ  Ｃｏｎｎｅｃｔｉｏｎ  Ｓｅｔｕｐ  Ｃｏｍｐｌｅｔｅ）を返す。
これにより移動端末ＭＳと無線基地局制御装置ＲＮＣ間の信号経路（ＲＲＣ  ｃｏｎｎｅｃｔｉｏｎ）を確立し、共通制御チャネル（ＣＣＣＨ）を利用したユーザデータ転送用伝送経路確立の為の信号通信が可能になる。すなわち、移動端末ＭＳと無線基地局制御装置ＲＮＣ間の信号用伝送経路が確立する。
図１０は図５における処理工程Ｐ１の位置登録処理のための、移動端末ＭＳ管理の為の無線基地局制御装置ＲＮＣによるＰ−ＴＭＳＩ（Ｐａｃｋｅｔ  Ｔｅｍｐｏｒａｒｙ  Ｍｏｂｉｌｅ  Ｓｕｂｓｃｒｉｂｅｒ  ＩＤ）の付与処理を示している。Ｐ−ＴＭＳＩは、パケット通信システムにおいて位置登録を要求した移動端末ＭＳに対して、ネットワーク側の当該移動端末ＭＳを管理するノードが端末管理の目的で一時的に付与する識別番号である。
図１０においては、移動端末ＭＳから無線基地局制御装置ＲＮＣに送られるＲＲＣ接続要求（ＲＲＣ  Ｃｏｎｎｅｃｔｉｏｎ  Ｒｅｑｕｅｓｔ）に、（Ｉｎｉｔｉａｌ  ＵＥ  Ｉｄｅｎｔｉｔｙ）としてＩＭＳＩ（Ｉｎｔｅｒｎａｔｉｏｎａｌ  Ｍｏｂｉｌｅ  Ｓｕｂｓｃｒｉｂｅｒ  ＩＤ）が含まれている。このＩＭＳＩは、移動端末ＭＳに固有的に付与されている加入者固有の識別番号である。
無線基地局制御装置ＲＮＣは、上記ＩＭＳＩを受け取った場合、Ｍｏｂｉｌｉｔｙ／Ｓｅｓｓｉｏｎ管理機能部２６の移動端末管理機能（ＭＭ：Ｍｏｂｉｌｉｔｙ  Ｍａｎａｇｅｍｅｎｔ）により該当の移動端末ＭＳを一時的に識別する番号としてＰ−ＴＭＳＩを与える。
但し、各無線基地局制御装置ＲＮＣが独立して各々配下の移動端末ＭＳに対してＰ−ＴＭＳＩを与えるので、付与する番号の重複を避ける為、無線基地局制御装置ＲＮＣ毎に付与できる番号範囲を制限している。
例えば、図１０において示される無線基地局制御装置ＲＮＣが付与可能なＰ−ＴＭＳＩは、００１〜０３０の範囲であり、このうちＲＲＣ接続設定要求（ＲＲＣ  Ｃｏｎｎｅｃｔｉｏｎ  Ｒｅｑｕｅｓｔ）を行った図示される移動端末ＭＳに対して、Ｐ−ＴＭＳＩ＝００１を付与するという如くである。
以上が電源オン時等位置登録を行う際の処理であるが、移動端末において、発呼（通信開始）の操作を行った場日には、処理工程Ｐ１の処理後、以下の処理工程Ｐ１，Ｐ２の処理を行うことになる。
図１１は、図５における処理工程Ｐ２を説明する図である。処理工程Ｐ１において位置登録が完了した移動端末から無線基地局制御装置ＲＮＣに対し、アクティブＰＤＰコンテクスト要求（Ａｃｔｉｖｅ  ＰＤＰ  Ｃｏｎｔｅｘｔ  Ｒｅｑｕｅｓｔ）を送る（処理工程Ｐ２−１）。
このアクティブＰＤＰコンテクスト要求は、無線基地局制御装置ＲＮＣ経由での、パケット通信を行う際に通信環境設定を行うために移動端末ＭＳがＳＧＳＮに対して送信する信号であり、ＴＳ  ２３．０６０で規定される。
ここで、従来装置において、移動端末ＭＳは無線基地局制御装置ＲＮＣ経由でコアネットワーク（Ｃｏｒｅ  Ｎｅｔｗｏｒｋ）側例えば、ＳＧＳＮに対してアクティブＰＤＰコンテクスト要求（Ａｃｔｉｖｅ  ＰＤＰ  Ｃｏｎｔｅｘｔ  Ｒｅｑｕｅｓｔ）を送信している。そして、この要求メッセージは、ＳＧＳＮで終端され、その後移動端末ＭＳのユーザデータ送受信パスとしてのＳＧＳＮとＧＧＳＮ間のトネンルを張る処理が前記ＳＧＳＮとＧＧＳＮで行われていた。
これに対し、本発明では無線基地局制御装置ＲＮＣに、端末の位置管理及び通信経路管理をコア側で行わないために、機能部２６としてＭＭ（Ｍｏｂｉｌｉｔｙ  Ｍａｎａｇｅｍｅｎｔ）／ＳＭ（Ｓｅｓｓｉｏｎ  Ｍａｎａｇｅｍｅｎｔ）プロトコルスタック２６−１を搭載し、これにより、アクティブＰＤＰコンテクスト要求（Ａｃｔｉｖｅ  ＰＤＰ  Ｃｏｎｔｅｘｔ）を終端する構成としている。
一方、コア側では後述する方法によって、ユーザデータ転送が行われるのでＳＧＳＮ−ＧＧＳＮ間トンネルは不要である。この為、無線基地局制御装置ＲＮＣは上記アクティブＰＤＰコンテクスト要求（Ａｃｔｉｖｅ  ＰＤＰ  Ｃｏｎｔｅｘｔ  Ｒｅｑｕｅｓｔ）メッセージ終端に関連する信号をコア側に流さない。
また、従来、無線基地局制御装置ＲＮＣはコア側からのＳＧＳＮと無線基地局制御装置ＲＮＣ間でパケット通信を行う為の経路を確保する要求（ＲＡＢ  Ａｓｓｉｇｎｍｅｎｔ  Ｒｅｑｕｅｓｔ）に含まれるＱｏＳ（Ｑｕａｌｉｔｙ  ｏｆ  Ｓｅｒｖｉｃｅ）パラメータを理解し、個別／共通ＣＨの割当て決定をしていた。
これに対し、本発明では、無線基地局制御装置ＲＮＣに共通トラフィックＣＨ使用要求機能部２５（図２参照）を設け、ＭＭ（Ｍｏｂｉｌｉｔｙ  Ｍａｎａｇｅｍｅｎｔ）／ＳＭ（Ｓｅｓｓｉｏｎ  Ｍａｎａｇｅｍｅｎｔ）プロトコルスタック２６−１において終端したアクティブＰＤＰコンテクスト要求（Ａｃｔｉｖｅ  ＰＤＰ  Ｃｏｎｔｅｘｔ  Ｒｅｑｕｅｓｔ）に含まれるＱｏＳ指定パラメータを理解し、このＱｏＳを満たせるか否かの判断を行う。
そして、アクティブＰＤＰコンテクスト要求（Ａｃｔｉｖｅ  ＰＤＰ  Ｃｏｎｔｅｘｔ  Ｒｅｑｕｅｓｔ）を発した移動端末ＭＳに対応し、要求ＱｏＳを満たせる時、共通のトラフィックＣＨの割り当てを行いアクティブＰＤＰコンテクスト容認（Ａｃｔｉｖｅ  ＰＤＰ  Ｃｏｎｔｅｘｔ  Ａｃｃｅｐｔ）信号を送る。ＱｏＳを満たせない時は、トラフィックＣＨの割り当てを拒否するアクティブＰＤＰコンテクスト拒絶（Ａｃｔｉｖｅ  ＰＤＰ  Ｃｏｎｔｅｘｔ  Ｒｅｊｅｃｔ）信号を送る（処理工程Ｐ２−２）。
なお、本発明ではコア側では充分な伝送能力があると仮定している為、いかなるＱｏＳも保証可能としている。
図１２は図５におけるユーザデータ転送用伝送経路確立処理（処理工程Ｐ３）における、無線伝送経路設定（Ｒａｄｉｏ  Ｂｅａｒｅｒ  Ｓｅｔｕｐ）信号の送信契機とその信号経路を示している。
従来装置では、コア側からのＳＧＳＮと無線基地局制御装置ＲＮＣ間でパケット通信を行う為の経路を確保する要求として、ＲＡＮＡＰメッセージ（ＲＡＢ  Ａｓｓｉｇｎｍｅｎｔ  Ｒｅｑｕｅｓｔ）受信を契機として移動端末ＭＳに対し無線伝送経路設定（Ｒａｄｉｏ  Ｂｅａｒｅｒ  Ｓｅｔｕｐ）信号を送信していた。
これに対し、本発明では図１１により先に説明したように、無線基地局制御装置ＲＮＣが移動端末ＭＳからのアクティブＰＤＰコンテクスト要求（Ａｃｔｉｖｅ  ＰＤＰ  Ｃｏｎｔｅｘｔ  Ｒｅｑｕｅｓｔ）を受信した時に、共通トラフィックＣＨ割り当て機能部２５−１がこの要求が受け入れられるか否かを判断する。
そして、割り当てが可能であれば、制御部２２により無線伝送経路設定と、移動端末ＭＳに対し無線伝送経路設定（Ｒａｄｉｏ  Ｂｅａｒｅｒ  Ｓｅｔｕｐ）信号を送信する（処理工程Ｐ３−１）。
無線伝送経路設定（Ｒａｄｉｏ  Ｂｅａｒｅｒ  Ｓｅｔｕｐ）信号の送信にはＲＲＣ接続設定（ＲＲＣ  Ｃｏｎｎｅｃｔｉｏｎ  Ｓｅｔｕｐ）信号の送信に使用されたチャネルと同じチャネルを使用する。
図１３は移動端末ＭＳから、前記無線ベアラ設定（Ｒａｄｉｏ  Ｂｅａｒｅｒ  Ｓｅｔｕｐ）信号に対する応答として送られる無線ベアラ設定完了（Ｒａｄｉｏ  Ｂｅａｒｅｒ  Ｓｅｔｕｐ  Ｃｏｍｐｌｅｔｅ）信号の信号経路を示している。
移動端末ＭＳはユーザデータ転送用ＣＨをノードＢと移動端末間で確保し（ＰＲＡＣＨ／ＳＣＣＰＣＨの転送能力確保）、共通制御チャネルＣＣＣＨを使用してノードＢ経由で無線基地局制御装置ＲＮＣに対して無線ベアラ設定完了（Ｒａｄｉｏ  Ｂｅａｒｅｒ  Ｓｅｔｕｐ  Ｃｏｍｐｌｅｔｅ）信号を送信する（処理工程Ｐ３−２）。
これにより移動端末ＭＳと無線基地局制御装置ＲＮＣ間のユーザデータ転送用伝送経路が確立し、移動端末ＭＳからのパケットの送り出しが可能となる（処理工程Ｐ４）。この伝送経路はＤＴＣＨ（Ｄｅｄｉｃａｔｅｄ  Ｔｒａｆｆｉｃ  Ｃｈａｎｎｅｌ）のフォーマットでＲＡＣＨ上で送られる。ＤＴＣＨはＲＡＣＨ上で送られることにより共通チャネルとして使用される。
共通トラフィックチャネル（ＣＴＣＨ：Ｃｏｍｍｏｎ  Ｔｒａｆｆｉｃ  Ｃｈａｎｎｅｌ）を利用する。
図１４は、移動端末ＭＳから送られるユーザデータの転送に関する各ノード（無線基地局制御装置ＲＮＣ、ＳＧＳＮ及び境界ノードＧＧＳＮ）での処理を纏めた図である。以下にそれぞれの処理の詳細を説明する。
図１５は無線基地局制御装置ＲＮＣとＳＧＳＮによる上り方向へのユーザデータ転送を示す図である。
無線基地局制御装置ＲＮＣはＭＳ管理テーブル２４を有し、これに位置登録された移動端末ＭＳのＩＰアドレスが登録されている（処理工程Ｐ１０）。無線基地局制御装置ＲＮＣは、ある移動端末ＭＳから送られ、受信されたユーザデータの宛先が、自身で管理している管理テーブルにより自身の配下の移動端末ＭＳ宛であるか否かを前記ＭＳ管理テーブル２４を検索する（処理工程Ｐ１１−１）。
この検索において、移動端末ＭＳ１からのユーザデータが当該無線基地局制御装置ＲＮＣの配下の別の移動端末ＭＳ宛であるか否かを判断する（処理工程Ｐ１２−１、Ｐ１２−２）。
無線基地局制御装置ＲＮＣの配下の別の移動端末ＭＳ宛であれば、ユーザデータを該当する移動端末ＭＳへ転送する（処理工程Ｐ１３−１）。そうでなければ上位にあたるノードであるＳＧＳＮへ転送する（処理工程Ｐ１３−２）。図１５に示す本実施例では無線基地局制御装置ＲＮＣが移動端末ＭＳ１からユーザデータを受けとり、その宛て先ＩＰアドレス＝ｂであるので、自分のＭＳ管理テーブル４１上にない為に、『送付先ＭＳは当該無線基地局制御装置ＲＮＣ配下にいない』と判断する。そのために、ユーザデータをＳＧＳＮへ転送する。
さらに、図１５において、下位ノードに該当する無線基地局制御装置ＲＮＣからユーザデータを受信したＳＧＳＮは、データバッファ３１に保持されるユーザデータのパケットを、制御部３２によりパケット転送機能部３３を制御してその上位にある図１５では示されていないＧＧＳＮに転送する（処理工程Ｐ１４−１）。
図１６は上り方向ユーザデータ受信時のＧＧＳＮでのユーザデータ転送処理を示している。下位ノードであるＳＧＳＮからユーザデータを受信した他ネットワークとの境界ノードであるＧＧＳＮはユーザデータの宛先が他ネットワーク宛か自ネットワーク宛かを判断するために、全隣接ノードのＩＰアドレスをテーブル４４に登録しておく（処理工程Ｐ１６）。
他網ノードテーブル４４による判断の結果、他ネットワーク宛であれば、その宛先ネットワークへパケット転送機能部４３によりユニキャスト転送を行う（処理工程Ｐ１８−２）。自ネットワーク宛であれば、全インタフェースの数分のユーザデータを制御部４２によりコピーし（処理工程Ｐ１７−２）、パケット転送機能部４３により自ネットワーク内の各ノードへ向かう全てのインタフェースにのみユーザデータコピーをマルチキャスト転送する（処理工程Ｐ１８−１）。図１６の例では宛先が他ネットワークである場合の転送例を示している。
図１７は、反対に他ネットワークからのユーザデータ受信時のＧＧＳＮでのユーザデータ転送処理を示す図である。
ＧＧＳＮは他ネットワークからのユーザデータを受信した場合、自身の持つ他ネットワークノードテーブル４４を参照して転送処理をする（処理工程Ｐ１７−１）。本実施例では宛先（アドレス＝ｂ）が自ネットワークである場合の転送例を示している。すなわち、自ネットワーク向けのユーザデータと判断し、配下の全インタフェース分ユーザデータをコピーして（処理工程Ｐ１８−１）、ユーザデータを転送する（処理工程Ｐ１９）。
図１８は自ネットワーク内での下り方向のユーザデータの転送を示している。境界ノードＧＧＳＮ以外のノードが上位からユーザデータを受信した場合、そこに接続された全ての下位ノードのインタフェース数分にユーザデータをコピーし（処理工程Ｐ１４−２）、これらを全下位インタフェースへ転送する（処理工程Ｐ１５）。
但し、無線基地局制御装置ＲＮＣがＳＧＳＮからのユーザデータを受信した場合、先に説明したように、本発明の特徴としてユーザデータの宛先が自身の無線基地局制御装置ＲＮＣ配下に有るか否かをＭＳ管理テーブル２４を参照して判断する（処理工程Ｐ１１−２）。
配下当てのユーザデータであれば対応する移動端末ＭＳに向けて転送する（処理工程Ｐ１３−１）。配下当てのユーザデータでなければこれを廃棄する（処理工程Ｐ１３−３）。
図１８に示す実施例では、無線基地局制御装置ＲＮＣ２が受信したユーザデータをＭＳ管理テーブル２４により配下の移動端末ＭＳ２宛と認識し、それを移動端末ＭＳ２へ転送する例を示している。
同様に無線基地局制御装置ＲＮＣ４では、ＭＳ管理テーブル２４を参照して受信ユーザデータが自分宛でない即ち、無線基地局制御装置ＲＮＣ４の配下の移動端末ＭＳ宛ではないと認識する場合は、パケット転送・廃棄機能部２３により当該パケットを廃棄する。
図１９は無線基地局制御装置ＲＮＣから移動端末ＭＳの呼び出しを示す図である。無線基地局制御装置ＲＮＣが配下の移動端末ＭＳ宛のユーザデータを送る時は、ＭＳ管理テーブル２４のＭＳ状態を参照し、従来のＭＳ状態管理／ページング方法を用いてページング機能部２７によりページングＣＨにより宛先の移動端末ＭＳを呼び出す。
呼び出された移動端末ＭＳは、図５により説明した方法を使用して信号用リソースの確保、ユーザデータ転送用ベアラの確立を行い、応答及び無線基地局制御装置ＲＮＣからのデータ受信の手順でデータ送信を行う。
共通ＣＨを共有する複数の移動端末ＭＳの上り／下りの制御は従来の制御方式を使用することも可能である。
なお、本発明での移動ネットワークはギガビットイーサネット等を使うコネクション・レス（ｃｏｎｎｅｃｔｉｏｎ−ｌｅｓｓ）ネットワーク環境を想定している。この為にこの時点で移動端末同士（Ｅｎｄ−ｔｏ−Ｅｎｄ）のユーザデータ転送が可能になる。
図１９において、具体例としてユーザデータの宛先がＩＰアドレス＝ｂの移動端末ＭＳ２であるとする。無線基地局制御装置ＲＮＣのＭＳ管理テーブル２４のＭＳ状態記録において、ＩＰアドレス＝ｂがアイドル状態であることを示しているので接続が可能である。
図１９に示す実施例では、無線基地局制御装置ＲＮＣと移動端末ＭＳ２との間に共通ユーザデータ転送用ベアラを確立しているので移動端末ＭＳ２のみがパケットを受信する。
無線基地局制御装置ＲＮＣは、移動端末ＭＳ２をＰ−ＴＭＳＩ＝００１でページングＣＨを使用して呼び出しを行う。この呼び出しに対し移動端末ＭＳ２は無線基地局制御装置ＲＮＣ間で信号ベアラを確立し、これを使用して無線基地局制御装置ＲＮＣに応答を送信する。
移動端末ＭＳ２は、応答後、ＤＴＣＨを使った無線基地局制御装置ＲＮＣ間ユーザデータ転送用伝送経路を確立する。無線基地局制御装置ＲＮＣは、確立されたベアラを使用してユーザデータを送信する。
図１９において、移動端末ＭＳ４も無線基地局制御装置ＲＮＣと共通ユーザデータ転送用ベアラを確立しているが、移動端末ＭＳ２が呼び出された為に、次回の呼び出しまでは、無線基地局制御装置ＲＮＣからのユーザデータの受信は行わない。
図２０は、本発明における端末間（Ｅｎｄ  ｔｏ  Ｅｎｄ）でのユーザデータ転送を示している。先の実施例で説明してきた方法により移動ネットワーク１の移動端末ＭＳ１から固定網のパケットデータネットワーク２を経由して別の移動ネットワーク２内で、無線基地局制御装置ＲＮＣ２の配下にある移動端末２の移動端末ＭＳ２にユーザデータを送信する例である。
無線基地局制御装置ＲＮＣ１において、移動端末ＭＳ１から送られるユーザデータの宛先アドレス＝ｂをＭＳ管理テーブル２４を参照して、自身の配下の端末ではないと判断し、上位のＳＧＳＮに転送する。ＳＧＳＮは、パケット転送機能部３３によりそのまま境界にあるノードＧＧＳＮに転送する。
他綱の境界ノードのＧＧＳＮは、管理テーブルである他網ノード・テーブル４４を参照して、図１７により説明した様に、配下の全インタフェース数分ユーザデータを制御部４２コピーし、パケット転送機能部４３により転送する。ＳＧＳＮは、そのまま下位の無線基地局制御装置ＲＮＣに転送する。それぞれのＳＧＳＮで、ＭＳ管理テーブル２４を参照して配下の移動端末ＭＳ宛であるか否かを判断する。配下の移動端末ＭＳ宛である場合は転送し、そうでなければ廃棄する。
図２１はネットワーク内の各ノードでのコピー機能を説明する図である。移動ネットワーク内の各ノードは受信したユーザデータを必要に応じて複数のインタフェースに対してコピーする機能を持っている。
ＧＧＳＮにおいて、自ネットワーク宛のユーザデータである場合、これ尾コピーして配下の全インタフェースに送る。ＳＧＳＮでは、下り方向の受信ユーザデータはコピーして配下に属する無線基地局制御装置ＲＮＣの全てに転送する。さらに、無線基地局制御装置ＲＮＣではＭＳ管理テーブル２４にあるアドレスを持ったユーザデータのみ、パケット転送・廃棄機能部２３により対応の移動端末ＭＳに転送し、他は廃棄する。
以上説明した本発明において、更にオプションとして無線基地局制御装置ＲＮＣに追加するプロトコルスタック（ｐｒｏｔｏｃｏｌ  ｓｔａｃｋ）２６−１（図１１参照）を無線基地局制御装置ＲＮＣではなく、中間ノードＢに持たせ、更にノードＢで移動端末ＭＳの管理テーブル４１を持つ様に構成することによって、ノードＢ自身が移動端末管理機能（ＭＭ：Ｍｏｂｉｌｉｔｙ  Ｍａｎａｇｅｍｅｎｔ）を行うことも可能である。
また、オプションとして共通トラフィック（ｕｓｅｒ  ｔｒａｆｆｉｃ）ＣＨを共有する複数の移動端末ＭＳの消費電力を抑える為に、呼び出しを受けた移動端末ＭＳ以外はこの共通トラフィックＣＨからのユーザデータの受信を行わない仕組みを適用しても良い。
なお、上記実施の形態説明において、移動端末ＭＳは必ずしも位置を移動可能の端末に限定されない。物理的に位置固定の端末であっても良く、この場合は、移動していない移動端末と考えることにより本発明を同様に適用可能である。
産業上の利用可能性
上記本発明の構成により、移動端末ＭＳのＩＰアドレス管理をする末端側のノード及び他ネットワークとの境界ノード以外のネットワーク内ノードではルーティングテーブルの管理が不要となる。したがって、移動端末ＭＳの移動に伴う位置情報変更通知トラフィックの発生を抑える事ができる。
また移動端末ＭＳは移動先でも即ユーザデータの送受信が行え、コアネットワーク側及び、コアネットワーク側とＲＡＮ側の共通の問題点の解決が図れる。
さらに、端末が端末と無線基地局制御装置（ＲＮＣ）との間の信号送受信を行う際に、リソースの確保を行う為の手順における信号（ＲＲＣ  Ｃｏｎｎｅｃｔｉｏｎ  Ｒｅｑｕｅｓｔという）に、『共通ユーザトラフィックチャネルＣＨの使用』を要求するパラメータを折り込む。これにより１つの無線基地局制御装置（ＲＮＣ）配下の全ての移動端末ＭＳによる共通ユーザトラフィックチャネルＣＨの使用が可能となる。
またシステムとして共通ユーザトラフィックチャネルＣＨに対して多くのリソースを与える事で、データ転送前の個別ＣＨ設定に起因する遅延品質と帯域有効利用というＲＡＮ側の問題点の解決がはかれる。
【図面の簡単な説明】
図１は、本発明の実施例としてのネットワーク構成例を示す図である。
図２は、無線基地局制御装置ＲＮＣの機能ブロック図である。
図３は、ＳＧＳＮの機能ブロックの一例を示す図である。
図４は、ＧＧＳＮの機能ブロックの一例を示す図である。
図５は、移動端末ＭＳと無線基地局制御装置ＲＮＣ間のリソース確保の為の概略の手順を示すシーケンス図である。
図６は、信号用伝送経路の確立及び位置登録処理におけるＲＲＣ接続要求（ＲＲＣ  Ｃｏｎｎｅｃｔｉｏｎ  Ｒｅｑｕｅｓｔという）を説明する図である。
図７は、移動端末ＭＳの管理の為に無線基地局制御装置ＲＮＣで作成されるテーブルを説明する図である。
図８は、ＲＲＣ接続要求（ＲＲＣ  Ｃｏｎｎｅｃｔｉｏｎ  Ｒｅｑｕｅｓｔ）信号に応答するＲＲＣ接続設定（ＲＲＣ  Ｃｏｎｎｅｃｔｉｏｎ  Ｓｅｔｕｐ）信号の信号経路を示す図である。
図９は、ＲＲＣ接続設定完了（ＲＲＣ  Ｃｏｎｎｅｃｔｉｏｎ  Ｓｅｔｕｐ  Ｃｏｍｐｌｅｔｅ）通知のための信号経路を示す図である。
図１０は、移動端末ＭＳ管理の為の無線基地局制御装置ＲＮＣによるＰ−ＴＭＳＩ（Ｐａｃｋｅｔ  Ｔｅｍｐｏｒａｒｙ  Ｍｏｂｉｌｅ  Ｓｕｂｓｃｒｉｂｅｒ  ＩＤ）の付与処理を示す図である。
図１１は、図５における処理工程Ｐ２を説明する図である。
図１２は、無線伝送経路設定（Ｒａｄｉｏ  Ｂｅａｒｅｒ  Ｓｅｔｕｐ）信号の送信契機とその信号経路を示す図である。
図１３は、無線伝送経路設定信号に対する応答として送られる無線伝送経路設定完了（Ｒａｄｉｏ  Ｂｅａｒｅｒ  Ｓｅｔｕｐ  Ｃｏｍｐｌｅｔｅ）信号の信号経路を示す図である。
図１４は、移動端末ＭＳから送られるユーザデータの転送に関する各ノードでの処理を纏めた図である。
図１５は、無線基地局制御装置ＲＮＣとＳＧＳＮによる上り方向へのユーザデータ転送を示す図である。
図１６は、上り方向ユーザデータ受信時のＧＧＳＮでのユーザデータ転送処理を示す図である。
図１７は、他ネットワークからのユーザデータ受信時のＧＧＳＮでのユーザデータ転送処理を示す図である。
図１８は、自ネットワーク内での下り方向のユーザデータの転送を示している。
図１９は、無線基地局制御装置ＲＮＣから移動端末ＭＳの呼び出しを示す図である。
図２０は、本発明における端末間（Ｅｎｄ  ｔｏ  Ｅｎｄ）でのユーザデータ転送を示している。
図２１は、ネットワーク内の各ノードでのコピー機能を説明する図である。
図２２は、既存の移動通信システムによるパケットの通信システムを示す図である。
【図１】
0004368680.tif 000002
【図２】
0004368680.tif 000003
【図３】
0004368680.tif 000004
【図４】
0004368680.tif 000005
【図５】
0004368680.tif 000006
【図６】
0004368680.tif 000007
【図７】
0004368680.tif 000008
【図８】
0004368680.tif 000009
【図９】
0004368680.tif 000010
【図１０】
0004368680.tif 000011
【図１１】
0004368680.tif 000012
【図１２】
0004368680.tif 000013
【図１３】
0004368680.tif 000014
【図１４】
0004368680.tif 000015
【図１５】
0004368680.tif 000016
【図１６】
0004368680.tif 000017
【図１７】
0004368680.tif 000018
【図１８】
0004368680.tif 000019
【図１９】
0004368680.tif 000020
【図２０】
0004368680.tif 000021
【図２１】
0004368680.tif 000022
【図２２】
0004368680.tif 000023